(57)【要約】【課題】映像再生機器、及びこの映像再生機器を含む映像送信システムにおいて、表示機器が３Ｄ映像非対応機器を介して３Ｄ映像を受信する場合であっても、３Ｄ映像の形式に画面表示の設定を自動的に切り替える。【解決手段】ＢＤプレーヤ２は、３Ｄ非対応のＡＶアンプ３を介して、ＴＶ受像機４とＨＤＭＩ接続されている。ＢＤプレーヤ２は、ＴＶ受像機４から３Ｄ映像への対応情報、対応する３Ｄ映像の形式、及び解像度をベンダーコマンドで取得する（Ｓ１１）。そして、ＢＤプレーヤ２は、取得した解像度及び３Ｄ映像の形式の映像信号を生成してＴＶ受像機４に送信すると共に（Ｓ１２）、上記Ｓ１１で取得した３Ｄ映像の形式への画面表示の設定の切替を指示するためのベンダーコマンドも送信する（Ｓ１３）。ＴＶ受像機４は、このベンダーコマンドの内容に基づいて、画面表示の設定を自動的に切り替えて、３Ｄ映像をディスプレイ４３に表示させる（Ｓ１４）。【選択図】図６
2014042088.tif 000002
【特許請求の範囲】
【請求項１】
３Ｄ映像に非対応の中継機器を介して、映像を表示可能な表示機器と接続され、
前記表示機器が３Ｄ映像に対応しているか否かを判別するための判別情報を取得する判別情報取得手段と、
前記表示機器によって表示可能な３Ｄ映像の形式を取得する３Ｄ映像形式取得手段と、
前記判別情報取得手段によって取得された前記判別情報に基づいて、前記表示機器が３Ｄ映像に対応しているか否かを判断する判断手段と、
前記判断手段によって、前記表示機器が３Ｄ映像に対応していると判断されたときに、前記３Ｄ映像形式取得手段によって取得された形式の３Ｄ映像を、前記中継機器を介して、前記表示機器に送信する３Ｄ映像送信手段と、
前記表示機器に対して、前記３Ｄ映像形式取得手段によって取得された３Ｄ映像の形式に画面表示の設定を切り替えるように指示するための切替指示信号を送信する切替指示信号送信手段とを備える映像再生機器。
【請求項２】
前記表示機器の表示画面の解像度を取得する解像度取得手段をさらに備え、
前記３Ｄ映像送信手段は、前記解像度取得手段によって取得された解像度に対応した３Ｄ映像を、前記表示機器に送信することを特徴とする請求項１に記載の映像再生機器。
【請求項３】
前記表示機器が前記切替指示信号に対応しているか否かを判断する対応判断手段と、
前記対応判断手段によって、前記表示機器が前記切替指示信号に対応していないと判断されたときに、前記３Ｄ映像送信手段によって送信予定の３Ｄ映像の形式に画面表示の設定を切り替えるようにユーザに促すメッセージを、前記表示機器に送信するメッセージ送信手段とをさらに備えることを特徴とする請求項１又は２に記載の映像再生機器。
【請求項４】
前記中継機器を介して、前記表示機器とＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）接続されていることを特徴とする請求項１乃至３のいずれか一項に記載の映像再生機器。
【請求項５】
３Ｄ映像に非対応の中継機器と、
前記中継機器に接続された表示機器と、
前記中継機器を介して、該表示機器に間接的に接続された請求項１乃至４のいずれか一項に記載の映像再生機器と、を含む映像送信システム。
【発明の詳細な説明】
【技術分野】
【０００１】
本発明は、３Ｄ映像を表示機器に送信する映像再生機器、及びこの映像再生機器を含む映像送信システムに関する。
【背景技術】
【０００２】
従来から、３Ｄ映像を送信可能なブルーレイディスクプレーヤ（以下、ＢＤプレーヤという）や、３Ｄ映像を表示可能なテレビジョン受像機（以下、ＴＶ受像機という）がある。ＢＤプレーヤとＴＶ受像機とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブルを介して接続され、ＴＶ受像機は、ＢＤプレーヤから送信された３Ｄ映像を受信し、この３Ｄ映像をディスプレイに表示する。
【０００３】
ＨＤＭＩ規格では、ＢＤプレーヤから送信される映像信号のブランキング期間に、現状のデータに関する情報を示すパケットを送る。３Ｄ映像に関する情報はＶＳＩ（Ｖｅｎｄｏｒ  Ｓｐｅｃｉｆｉｃ  ＩｎｆｏＦｒａｍｅ）パケットで送信される。ＶＳＩパケットは、用途に応じて送信情報を拡張可能なパケットであり、３Ｄ映像の形式に関する情報を含むものである。ＴＶ受像機によっては、ＶＳＩパケットの内容から３Ｄ映像の形式を判断し、判断した形式の３Ｄ映像を表示するように（表示可能なように）自動的に画面表示の設定を変更して、３Ｄ映像を表示するものがある。
【０００４】
３Ｄ映像の形式としては、左目用の映像と右目用の映像とが交互に入っている「フレームパッキング（ＦｒａｍｅＰａｃｋｉｎｇ）」形式や、左目用の映像と右目用の映像が横方向に半分に圧縮されて横並びになった「サイドバイサイド（ＳｉｄｅＢｙＳｉｄｅ）」形式や、左目用の映像と右目用の映像が上下方向に半分に圧縮されて縦並びになった「トップアンドボトム（ＴｏｐＡｎｄＢｏｔｔｏｍ）」形式がある。
【０００５】
フレームパッキング形式は、左目用の映像と右目用の映像が交互に入っているため、２Ｄ映像と比べてデータ量が２倍であり、かつ、クロックも２倍であるため、３Ｄ映像に非対応のＡＶアンプ等の機器（以下、３Ｄ非対応機器という）は、一般的に、このクロックに非対応である。そのため、３Ｄ非対応機器は、フレームパッキング形式の３Ｄ映像を、ＴＶ受像機等の他の外部機器に正常に転送することができない。
【０００６】
一方、サイドバイサイド形式とトップアンドボトム形式は、２Ｄ映像と比べてデータ量が同じであるため、３Ｄ非対応機器は、これらの形式の３Ｄ映像を、ＴＶ受像機等の他の外部機器にそのまま転送することができる。
【先行技術文献】
【特許文献】
【０００７】
【特許文献１】特開２０１１−１５５６４０号公報
【特許文献２】特開２０１１−２４４２１８号公報
【発明の概要】
【発明が解決しようとする課題】
【０００８】
ところで、３Ｄ非対応機器に対してＶＳＩパケットを送信することは、ＨＤＭＩ規格違反となる。このため、３Ｄ非対応機器にＶＳＩパケットを送ることができない。例えば、上記ＢＤプレーヤと上記ＴＶ受像機との間に、３Ｄ非対応機器であるＡＶアンプ（ＨＤＭＩ規格のリピータ機器）が接続されている場合、ＢＤプレーヤは、このＡＶアンプにＶＳＩパケットを送信できない。そのため、ＴＶ受像機は、ＢＤプレーヤからＶＳＩパケットを受信することができない。従って、ＴＶ受像機は、ＢＤプレーヤから３Ｄ映像を受信したとしても、この３Ｄ映像の形式を判断できないため、受信した３Ｄ映像の形式に画面表示の設定を切り替えることができず、３Ｄ映像を２Ｄ映像として誤った表示を行うことがある。その場合、ユーザは、所定の３Ｄ映像の形式で表示するように、ＴＶ受像機の画面表示の設定を手動で変更する必要があり、ユーザにとって手間が掛かるという問題がある。
【０００９】
上記問題に対して、特許文献１には、接続されたＡＶアンプが３Ｄ再生信号の処理に対応したＡＶアンプであるか否かを判断する立体映像再生装置が開示されている。しかしながら、この立体映像再生装置では、ＡＶアンプを介してＶＳＩパケットを受信できない場合、受信した３Ｄ映像の形式を判断できないので、ユーザが画面表示の設定を手動で変更する必要があるため、上記問題を解決できない。
【００１０】
また、特許文献２には、プレーヤから第１の立体映像データと第１の視差情報とを受信したＡＶアンプが、第１の立体映像データと第２の立体映像データとを出力するデータ伝送システムが開示されている。しかしながら、このデータ伝送システムであっても、表示機器が、ＡＶアンプを介してＶＳＩパケットを受信できない場合に、３Ｄ映像の形式を判断できないので、ユーザが画面表示の設定を手動で変更する必要があるため、上記問題を解決できない。
【００１１】
本発明は、上述した問題点を解決するためになされたものであり、表示機器が、３Ｄ映像に非対応の中継機器を介して３Ｄ映像を受信する場合であっても、この３Ｄ映像の形式に画面表示の設定を自動的に切り替えることができ、ユーザによる操作の手間を低減可能な映像再生機器、及びこの映像再生機器を含む映像送信システムを提供することを目的とする。
【課題を解決するための手段】
【００１２】
上記目的を達成するために本発明の映像再生機器は、３Ｄ映像に非対応の中継機器を介して、映像を表示可能な表示機器と接続され、前記表示機器が３Ｄ映像に対応しているか否かを判別するための判別情報を取得する判別情報取得手段と、前記表示機器によって表示可能な３Ｄ映像の形式を取得する３Ｄ映像形式取得手段と、前記判別情報取得手段によって取得された前記判別情報に基づいて、前記表示機器が３Ｄ映像に対応しているか否かを判断する判断手段と、前記判断手段によって、前記表示機器が３Ｄ映像に対応していると判断されたときに、前記３Ｄ映像形式取得手段によって取得された形式の３Ｄ映像を、前記中継機器を介して、前記表示機器に送信する３Ｄ映像送信手段と、前記表示機器に対して、前記３Ｄ映像形式取得手段によって取得された３Ｄ映像の形式に画面表示の設定を切り替えるように指示するための切替指示信号を送信する切替指示信号送信手段とを備えるものである。
【００１３】
上記構成においては、３Ｄ映像送信手段が、表示機器に表示可能な３Ｄ映像の形式の３Ｄ映像を、中継機器を介して、表示機器に送信し、切替指示信号送信手段が、表示機器に対して、３Ｄ映像形式取得手段によって取得された３Ｄ映像の形式に画面表示の設定を切り替えるように指示するための切替指示信号を送信する。そのため、表示機器は、映像再生機器から送信された３Ｄ映像及び切替指示信号を受信すると、この３Ｄ映像を表示可能な形式に画面表示の設定を自動的に切り替えることができる。従って、ユーザが画面表示の設定を変更することになしに、３Ｄ映像が表示機器に表示されるため、ユーザによる操作の手間を低減でき、利便性が良くなる。
【００１４】
前記映像再生機器は、前記表示機器の表示画面の解像度を取得する解像度取得手段をさらに備え、前記３Ｄ映像送信手段は、前記解像度取得手段によって取得された解像度に対応した３Ｄ映像を、前記表示機器に送信することが望ましい。
【００１５】
上記構成においては、表示機器の表示画面の解像度に対応した３Ｄ映像を表示機器に送信するため、映像再生機器から送信される３Ｄ映像を表示機器に確実に表示できる。従って、ユーザが、表示機器の表示画面に表示する３Ｄ映像の解像度を変更するための操作指示を行う手間を低減することができる。
【００１６】
前記映像再生機器は、前記表示機器が前記切替指示信号に対応しているか否かを判断する対応判断手段と、前記対応判断手段によって、前記表示機器が前記切替指示信号に対応していないと判断されたときに、前記３Ｄ映像送信手段によって送信予定の３Ｄ映像の形式に画面表示の設定を切り替えるようにユーザに促すメッセージを、前記表示機器に送信するメッセージ送信手段とをさらに備えることが望ましい。
【００１７】
上記構成においては、対応判断手段によって表示機器が切替指示信号に対応していないと判断された場合、メッセージ送信手段が、３Ｄ映像送信手段によって送信予定の３Ｄ映像の形式に画面表示の設定を切り替えるようにユーザに促すメッセージを表示機器に送信する。そのため、ユーザは、表示機器に表示されるメッセージによって、３Ｄ映像の形式が容易に分かるので、画面表示の設定を切り替えることで、送信された３Ｄ映像を確実に表示機器に表示させることができ、利便性が向上する。
【００１８】
前記映像再生機器は、前記中継機器を介して、前記表示機器とＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）接続されていることが望ましい。
【００１９】
本発明の他の態様の映像送信システムは、３Ｄ映像に非対応の中継機器と、前記中継機器に接続された表示機器と、前記中継機器を介して、該表示機器に間接的に接続された上記の映像再生機器と、を含むものである。
【発明の効果】
【００２０】
本発明によれば、切替指示信号を受信した表示機器は、３Ｄ映像に非対応の中継機器を介して、３Ｄ映像を受信した場合であっても、この３Ｄ映像を表示可能な形式に画面表示の設定を自動的に切り替えることができる。従って、ユーザが表示機器の画面表示の設定を変更することになしに、表示機器に３Ｄ映像が表示されるため、ユーザによる操作の手間を低減でき、利便性が良くなる。
【図面の簡単な説明】
【００２１】
【図１】本発明の第１の実施形態に係るＢＤプレーヤとＡＶアンプとＴＶ受像機とを含む映像送信システムの概略図。
【図２】上記ＢＤプレーヤの内部構成を示すブロック図。
【図３】上記ＡＶアンプの内部構成を示すブロック図。
【図４】上記ＴＶ受像機の内部構成を示すブロック図。
【図５】上記映像送信システムにおける映像の表示動作を示すタイミングチャート。
【図６】上記映像送信システムにおける映像の表示動作を示すタイミングチャート。
【図７】上記映像送信システムにおける映像の表示動作を示すフローチャート。
【図８】本発明の第２の実施形態に係るＢＤプレーヤの内部構成を示すブロック図。
【発明を実施するための形態】
【００２２】
以下、本発明の第１の実施形態に係るＢＤプレーヤ、及び映像送信システムについて、図１乃至図４を参照して説明する。図１は、ブルーレイディスク（以下、ＢＤという）プレーヤ（映像再生装置）２と、ＡＶアンプ（中継機器）３と、テレビジョン（以下、ＴＶ）受信機（表示機器）４とを含む映像送信システム１の概略構成を示す。ＢＤプレーヤ２とＴＶ受像機４とは、３Ｄ映像に対応した機器である。すなわち、ＢＤプレーヤ２は、２Ｄ／３Ｄ映像を出力可能であり、ＴＶ受像４は、２Ｄ／３Ｄ映像を表示可能である。ＡＶアンプ３は、３Ｄ映像に非対応の機器である。
【００２３】
ＢＤプレーヤ２、ＡＶアンプ３、及びＴＶ受像機４は、いずれもＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）に対応した機器であり、ＨＤＭＩ−ＣＥＣ（Ｃｏｎｓｕｍｅｒ  Ｅｌｅｃｔｒｏｎｉｃｓ  Ｃｏｎｔｒｏｌ）に基づくＣＥＣコマンドと、ＣＥＣコマンドに対するレスポンスデータとをそれぞれ送受信可能である。
【００２４】
ＢＤプレーヤ２とＡＶアンプ３とは、ＨＤＭＩケーブル６１を介して相互に接続されている。ＡＶアンプ３とＴＶ受像機４とはＨＤＭＩケーブル６２を介して相互に接続されている。ＢＤプレーヤ２とＴＶ受像機４との間では、ＢＤプレーヤ２がソース機器、ＴＶ受像機４がシンク機器、ＡＶアンプ３がリピータ機器としてそれぞれ機能する。すなわち、ＢＤプレーヤ２と、ＴＶ受像機４とは、ＡＶアンプ３を介して、間接的に接続されている。
【００２５】
ＨＤＭＩケーブル６１、６２は、映像信号及び音声信号等の伝送ラインであるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ラインと、ＣＥＣコマンドを双方向に伝送するための伝送ラインであるＣＥＣラインと、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）のデータを伝送するためのＤＤＣ（Ｄｉｓｐｌａｙ  Ｄａｔａ  Ｃｈａｎｎｎｅｌ）ラインと、ユーティリティラインと、ホットプラグディテクト（ＨＰＤ）ラインとを含むものである。
【００２６】
ＢＤプレーヤ２は、図２に示すように、ユーザによって操作される複数のボタンを有する操作部２１と、ＢＤディスクｄが装着される光ディスクドライブ２２と、後述するＥＤＩＤ情報２８等の各種データを記憶するメモリ２３と、ＨＤＭＩ送信部（判別情報取得手段、３Ｄ映像形式取得手段、３Ｄ映像送信手段、切替指示信号送信手段、解像度取得手段）２４と、デコーダ２５と、映像信号処理部２６と、音声信号処理部２７と、メインマイコン（判断手段、対応判断手段）２０とを備える。
【００２７】
光ディスクドライブ２２は、内部にＢＤディスクｄが装着され、ＢＤディスクｄからコンテンツのデータの読み出しを行い、読み出したコンテンツのデータをデコーダ２５に出力する。メモリ２３には、メインマイコン２０を動作させるためのプログラムも格納される。ＥＤＩＤ情報２８には、ＢＤプレーヤ２に関する各種情報が含まれている。
【００２８】
ＨＤＭＩ送信部２４は、ＨＤＭＩトランスミッタとして機能し、メインマイコン２０による制御に基づき、ＢＤディスクｄから読み出されたコンテンツの映像信号及び音声信号やＣＥＣコマンドを、ＨＤＭＩケーブル６１を介して、ＡＶアンプ３に送信する処理を行う。また、ＨＤＭＩ送信部２４は、ＡＶアンプ３やＴＶ受像機４から送信されたＣＥＣコマンドや、ＡＶアンプ３のＥＤＩＤ情報３６（図３参照）やＴＶ受像機４のＥＤＩＤ情報４８（図４参照）を受信する処理を行う。
【００２９】
デコーダ２５は、光ディスクドライブ２２から受信したコンテンツのデータをデコードし、デコードした映像データを映像信号処理部２６に出力すると共に、デコードした音声データを音声信号処理部２７に出力する。
【００３０】
映像信号処理部２６は、３Ｄ映像生成部２６ａと、ＯＳＤ（Ｏｎ  Ｓｃｒｅｅｎ  Ｄｉｓｐｌａｙ）生成部２６ｂとを有し、デコーダ２５から受信した映像データについて、所定の２Ｄ映像への変換や、所定の３Ｄ映像の形式への変換や、画質補正や、解像度の変換等の各種映像処理を行い、処理後の２Ｄ映像又は３Ｄ映像の映像信号をＨＤＭＩ送信部２４に出力する。
【００３１】
３Ｄ映像生成部２６ａは、デコーダ２５から受信した映像データを、メインマイコン２０の制御に基づく３Ｄ映像の形式（例えば、サイドバイサイド形式や、トップアンドボトム形式）に変換する。ＯＳＤ生成部２６ｂは、メインマイコン２０の制御に基づき、各種メッセージをＯＳＤ表示させるための映像信号を生成する。
【００３２】
音声信号処理部２７は、メインマイコン２０の制御に基づき、デコーダ２５から受信した音声データに、音質変換等の各種音声処理を行い、処理後の音声信号をＨＤＭＩ送信部２４に出力する。
【００３３】
メインマイコン２０は、ユーザによる操作部２１の操作や、ＡＶアンプ３及びＴＶ受像機４から受信したＣＥＣコマンドに基づいて、ＢＤプレーヤ２の各部の制御を行う。具体的には例えば、メインマイコン２０は、光ディスクドライブ２２によってＢＤディスクｄから読み出されたコンテンツの映像データを、サイドバイサイド形式の３Ｄ映像に変換させた後、ＨＤＭＩ送信部２４を用いて、ＴＶ受像機４に３Ｄ映像を送信する制御を行う。また、メインマイコン２０は、ＨＤＭＩ送信部２４を用いてＡＶアンプ３から取得したＥＤＩＤ情報３６（図３参照）の内容に基づいて、ＡＶアンプ３が３Ｄ映像に対応しているか否かの判断を行う。
【００３４】
ＡＶアンプ３は、３Ｄ映像に非対応の機器であり、図３に示すように、ユーザによって操作される複数のボタンを有する操作部３１と、ＨＤＭＩ送信部３２と、ＨＤＭＩ受信部３３と、スピーカ３５が接続されたアンプ部３４と、自装置３の各種情報を格納したＥＤＩＤ情報３６等のデータを記憶するメモリ３７と、ＡＶアンプ３の各部を制御するためのメインマイコン３０とを備える。
【００３５】
ＨＤＭＩ送信部３２は、ＨＤＭＩトランスミッタとして機能し、ＨＤＭＩケーブル６２を介して、ＢＤプレーヤ３から受信した映像信号及び音声信号をＴＶ受像機４に転送する処理や、ＴＶ受像機４に対して、ＣＥＣコマンドを送受信する処理を行う。
【００３６】
ＨＤＭＩ受信部３３は、ＨＤＭＩレシーバとして機能し、ＨＤＭＩケーブル６１を介して、ＢＤプレーヤ２から送信された映像信号及び音声信号の受信や、ＢＤプレーヤ２に対してＣＥＣコマンドを送受信する処理を行う。
【００３７】
アンプ部３４は、メインマイコン３０から音声信号を受信し、受信した音声信号を増幅してスピーカ３５に供給し、スピーカ３５から音声を出力させる。
【００３８】
メインマイコン３０は、ユーザによる操作部３１の操作や、ＢＤプレーヤ２やＴＶ受像機４から受信したＣＥＣコマンドに基づいてＡＶアンプ３の各部の制御を行う。具体的には例えば、メインマイコン３０は、ＨＤＭＩ受信部３３を用いてＢＤプレーヤ２から受信した映像信号及び音声信号を、ＨＤＭＩ送信部３２を用いてＴＶ受像機４に転送する処理の制御を行う。また、メインマイコン３０は、ＢＤプレーヤ２から受信した音声信号を、アンプ部３４に出力する処理を行う。
【００３９】
ＴＶ受像機４は、図４に示すように、アンテナ４１に接続され、デジタル放送信号を受信するチューナ部４２と、映像を表示するディスプレイ４３と、音声を出力するスピーカ４４と、ユーザによって操作される操作部４５と、ＥＤＩＤ情報４８を含む各種データを記憶したメモリ４６と、ＨＤＭＩ受信部４７と、メインマイコン４０とを備える。
【００４０】
チューナ部４２は、デコーダ部４２ａを有し、アンテナ４１を介して、放送局から配信される各チャンネルのデジタル放送信号を受信して、このデジタル放送信号に対して復調処理等を行い、復調の結果得られた映像信号及び音声信号をメインマイコン４０に出力する。
【００４１】
ディスプレイ４３は、チューナ部４２によって受信されたＴＶ番組の映像や、ＨＤＭＩ受信部４７によって受信された映像信号に基づく映像を表示する。
【００４２】
スピーカ４４は、チューナ部４２によって受信されたＴＶ番組の音声や、ＨＤＭＩ受信部４７によって受信された音声信号に基づく音声を出力する。
【００４３】
メモリ４６は、メインマイコン４０を動作させるためのプログラムを格納している。ＥＤＩＤ情報４８には、ＴＶ受像機４に関する各種情報が含まれている。
【００４４】
ＨＤＭＩ受信部４７は、ＨＤＭＩレシーバとして機能し、ＨＤＭＩケーブル６２を介して、ＢＤプレーヤ２やＡＶアンプ３から送信されたデータを受信する。ＢＤプレーヤ２から送信されたデータは、ＡＶアンプ３によって中継されて、ＴＶ受像機４によって受信される。
【００４５】
メインマイコン４０は、映像信号処理部５１と、音声信号処理部５２とを有し、ユーザによる操作部４５の操作や、受信したＣＥＣコマンドに基づいて、ＴＶ受像機４の各部の制御を行う。具体的には例えば、メインマイコン４０は、ＣＥＣコマンドの内容に基づいて、映像信号処理部５１に対して、サイドバイサイド形式やトップアンドボトム形式等の３Ｄ映像の形式に画面表示の設定を切り替える（サイドバイサイド形式やトップアンドボトム形式等の３Ｄ映像をディスプレイ４３に表示させる）制御を行う。
【００４６】
映像信号処理部５１は、メインマイコン４０の制御に基づき、受信した映像信号に対して、各種の映像信号処理を行った後、処理後の映像信号をディスプレイ４３に出力して、ディスプレイ４３に映像を表示させる。具体的には例えば、映像信号処理部５１は、メインマイコン４０によってサイドバイサイド形式で３Ｄ映像を表示させるように制御された場合、受信した映像信号から、左目用の映像と右目用の映像とを取り出して、これらを交互に表示するようにディスプレイ４３に映像を出力して、サイドバイサイド形式の３Ｄ映像をディスプレイ４３に表示させる。また、映像信号処理部５１は、メインマイコン４０によって２Ｄ映像を表示させるように制御された場合、２Ｄ映像の映像信号をディスプレイ４３に出力する。
【００４７】
音声信号処理部５２は、メインマイコン４０の制御に基づき、受信した音声信号に各種の音声信号処理を行った後、この音声信号をスピーカ４４に出力する。
【００４８】
次に、映像伝送システム１における映像の表示処理について、図５及び図６を参照して説明する。図５及び図６は、ＢＤプレーヤ２、ＡＶアンプ３、及びＴＶ受像機４の動作を示すタイミングチャートである。ここでは、ＢＤプレーヤ２がＢＤディスクｄのコンテンツを再生して、ＡＶアンプ３を介して、ＴＶ受像機４に３Ｄ映像を送信し、ＴＶ受像機４が受信した３Ｄ映像をディスプレイ４３に表示する場合の動作を示す。
【００４９】
まず、ＢＤプレーヤ２のメインマイコン２０は、ＨＤＭＩケーブル６１を介してＨＰＤ信号を受信すると、ＡＶアンプ３のＥＤＩＤ情報３６を取得し、このＥＤＩＤ情報３６の内容からＡＶアンプ３が３Ｄ映像に対応しているか否かを判断する（Ｓ１）。ここでは、ＡＶアンプ３が３Ｄ映像に非対応であるため、ＢＤプレーヤ２のメインマイコン２０は、フレームパッキング形式の３Ｄ映像を、ＡＶアンプ３を介して、ＴＶ受像機４に転送できないと判断する。すなわち、ＢＤプレーヤ２のメインマイコン２０は、サイドバイサイド形式又はトップアンドボトム形式の３Ｄ映像であれば、ＡＶアンプ３を介して、ＴＶ受像機４に転送できると判断する。
【００５０】
そして、ＢＤプレーヤ２のメインマイコン２０は、ＴＶ受像機４に対して、３Ｄ映像に対応しているか否かを判別するためのＣＥＣのベンダーコマンドを送信する（Ｓ２）。この結果、ＴＶ受像機４から３Ｄ映像に対応している旨の返信（ＣＥＣのベンダーコマンドに対するレスポンス）がある場合、ＢＤプレーヤ２のメインマイコン２０は、ＴＶ受像機４が３Ｄ映像に対応していると判断する。上記のＴＶ受像機４からのレスポンスには、ＴＶ受像機４の３Ｄ映像への対応情報、対応する３Ｄ映像の形式、及び解像度の情報等が含まれる。（図６のＳ１１）。
【００５１】
そして、ユーザによってＢＤディスクｄの再生が指示されると、ＢＤプレーヤ２のメインマイコン２０は、映像信号処理部２６を用いて、上記Ｓ１１で取得したＴＶ受像機４に対応した解像度、及び３Ｄ映像の形式（サイドバイサイド形式又はトップアンドボトム形式）である３Ｄ映像の映像信号を生成し、生成した映像信号をＴＶ受像機４に送信する（Ｓ１２）。
【００５２】
そして、ＢＤプレーヤ２のメインマイコン２０は、サイドバイサイド形式又はトップアンドボトム形式で３Ｄ映像を送信中である旨を通知（上記Ｓ１１で取得された３Ｄ映像の形式に画面表示の設定を切り替えるように指示するための）ＣＥＣのベンダーコマンドをＴＶ受像機４に送信する（Ｓ１３）。具体的には例えば、サイドバイサイド形式の３Ｄ映像をＴＶ受像機４に送信中である場合（上記Ｓ１２に相当）、ＢＤプレーヤ２のメインマイコン２０は、サイドバイサイド形式の３Ｄ映像を送信中である旨を通知（サイドバイサイド形式に画面表示の設定を切り替えるように指示するための）ＣＥＣのベンダーコマンドをＴＶ受像機４に送信する（上記Ｓ１３に相当）。
【００５３】
そして、ＴＶ受像機４のメインマイコン４０は、上記Ｓ１３でＢＤプレーヤ２から送信されたベンダーコマンドを受信すると、このベンダーコマンドに基づいて、ＢＤプレーヤ２から送信される３Ｄ映像の形式に画面表示の設定を自動的に切り替えて、３Ｄ映像をディスプレイ４３に表示させる（Ｓ１４）。具体的には例えば、ＴＶ受像機４のメインマイコン４０は、ＢＤプレーヤ２から、サイドバイサイド形式の３Ｄ映像を送信中である旨のＣＥＣのベンダーコマンドを受信すると、映像信号処理部５１に対してサイドバイサイド形式に画面表示の設定を切り替えるように制御する。そして、映像信号処理部５１が、ＢＤプレーヤ２から受信した映像信号をサイドバイサイド形式の３Ｄ映像に変換してディスプレイ４３に表示させる（上記Ｓ１４に相当）。
【００５４】
次に、上記Ｓ２においてＢＤプレーヤ２から送信されたＣＥＣのベンダーコマンドに対して、ＴＶ受像機４から返信（レスポンス）がない場合の処理について、図７に示すフローチャートを参照して説明する。本処理は、上記Ｓ２においてＢＤプレーヤ２がＣＥＣのベンダーコマンドを送信した後、例えば３分の待ち時間が経過しても、ＴＶ受像機４から返信がない場合に開始されるものとする。なお、待ち時間はユーザが任意に設定できるものとする。
【００５５】
まず、ＢＤプレーヤ２のメインマイコン２０は、サイドバイサイド形式の３Ｄ映像を表示させる設定がＴＶ受像機４側にあるか否かをユーザに問い合わせるメッセージのＯＳＤを、ＴＶ受像機４のディスプレイ４３に表示させる（Ｓ２１）。
【００５６】
そして、ＴＶ受像機４にサイドバイサイド形式の３Ｄ映像を表示させる設定がある場合（Ｓ２２でＹＥＳ）、ユーザがＴＶ受像機４の操作部４５を操作することにより、サイドバイサイド形式（の３Ｄ映像を表示するように）ＴＶ受像機４の画面表示の設定を切り替える（Ｓ２３）。すなわち、ＴＶ受像機４のメインマイコン４０が、ユーザによる操作部４５の操作に基づいて、指示映像信号処理部５１に対して、サイドバイサイド形式の３Ｄ映像をディスプレイ４３に表示するように制御する。
【００５７】
そして、ユーザがＢＤプレーヤ２の操作部２１（又はＢＤプレーヤ２のリモコン）を操作することにより、ＴＶ受像機２の画面表示の設定がサイドバイサイド形式の３Ｄ映像に切り替わった旨をＢＤプレーヤ２に通知すると（Ｓ２４）、ＢＤプレーヤ２のメインマイコン２０は、ＨＤＭＩ送信部２４を用いてサイドバイサイド形式の３Ｄ映像信号をＴＶ受像機４に送信させる（Ｓ２５）。
【００５８】
そして、ＴＶ受像機４のメインマイコン４０は、映像信号処理部５１を用いて、ＢＤプレーヤ２から受信したサイドバイサイド形式の３Ｄ映像をディスプレイ４３に表示する（Ｓ２６）。
【００５９】
一方、ＴＶ受像機４にサイドバイサイド形式の設定がない場合（Ｓ２２でＮＯ）、ユーザがＢＤプレーヤ２の操作部２１（又はＢＤプレーヤ２のリモコン）を操作することにより、ＴＶ受像機２にサイドバイサイド形式の設定が無い旨をＢＤプレーヤ２に通知すると（Ｓ３１）、ＢＤプレーヤ２のメインマイコン２０は、２Ｄ映像の映像信号をＴＶ受像機４に送信する（Ｓ３２）。
【００６０】
そして、ＴＶ受像機４のメインマイコン４０は、映像信号処理部５１を用いて、ＢＤプレーヤ２から受信した２Ｄ映像をディスプレイ４３に表示する（Ｓ３３）。なお、本処理は、ＴＶ受像機４にトップアンドボトム形式の３Ｄ映像を表示させる場合に適用してもよい。
【００６１】
上述したように、本実施形態に係る映像送信システム１、及びＢＤプレーヤ２によれば、ＢＤプレーヤ２が、ＴＶ受像機４に表示可能な形式の３Ｄ映像を、ＡＶアンプ３を介して、ＴＶ受像機４に送信すると共に、ＢＤプレーヤ２から送信される３Ｄ映像の形式に画面表示の設定を切り替えるための指示をＣＥＣのベンダーコマンドを用いてＴＶ受像機４に送信する。そのため、ＴＶ受像機４は、３Ｄ映像に非対応のＡＶアンプ３を介して３Ｄ映像を受信した場合でも、ＢＤプレーヤ２から送信された３Ｄ映像及びＣＥＣのベンダーコマンドを受信すると、この３Ｄ映像を表示可能な形式に画面表示の設定を自動的に切り替えることができる。従って、ユーザがＴＶ受像機４の画面表示の設定を手動で切替えることになしに、ＴＶ受像機４のディスプレイ４３には３Ｄ映像が表示されるため、ユーザによる操作の手間を低減でき、利便性が良くなる。
【００６２】
また、本実施形態においては、ＢＤプレーヤ２が、ＴＶ受像機４のディスプレイ４３の解像度で表示可能である３Ｄ映像をＴＶ受像機４に送信するため、ＢＤプレーヤ２から送信される３Ｄ映像をＴＶ受像機４に確実に表示できる。従って、ユーザが、３Ｄ映像を表示するためにＴＶ受像機４のディスプレイ４３に表示する映像の解像度を変更する操作指示を行う手間を低減することができる。
【００６３】
また、本実施形態においては、ＴＶ受像機４がＢＤプレーヤ２から送信されたＣＥＣのベンダーコマンドに対応していないと判断された場合、ＢＤプレーヤ２のメインマイコン２０は、送信予定である３Ｄ映像の形式に画面表示の設定を切り替えるようにユーザに促すメッセージのＯＳＤをＴＶ受像機４のディスプレイ４３に表示させる。そのため、ユーザは、このメッセージによって、３Ｄ映像の形式が容易に分かるので、ＴＶ受像機４の画面表示の設定を切り替えることで、ＢＤプレーヤ２から送信される３Ｄ映像を確実にディスプレイ４３に表示させることができ、利便性が向上する。
【００６４】
次に、本発明の第２の実施形態に係るＢＤプレーヤ、及び映像送信システムについて、図８を参照して説明する。本実施形態に係るＢＤプレーヤ２は、図８に示すように、メモリ２３に３Ｄ対応機器情報２３ａを記憶している以外は、上記図２に示したＢＤプレーヤ２と同様の構成である。また、本実施形態では、ＡＶアンプ３、及びＴＶ受像機４の各構成は上述の第１の実施形態と同様である、また、映像送信システム１は、図８に示すＢＤプレーヤ２、図３に示すＡＶアンプ３、及び図４に示すＴＶ受像機４を含む構成である。
【００６５】
ＢＤプレーヤ２の３Ｄ対応機器情報２３ａには、ＢＤプレーヤ２にＨＤＭＩ接続される外部機器が保持する固有の情報と、外部機器の３Ｄ対応情報等を記憶する。具体的には例えば、ＢＤプレーヤ２のメインマイコン２０は、ＴＶ受像機４とＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  ｓｙｓｔｅｍ）認証を行う時に、ＴＶ受像機４に固有の情報であるＢＫＳＶ（Ｋｅｙ  Ｓｅｌｅｃｔｉｏｎ  Ｖｅｃｔｏｒ）を取得する。そして、ＢＤプレーヤ２のメインマイコン２０は、ＴＶ受像機４に対して、３Ｄ映像に対応しているか否かを問い合わせるＣＥＣのベンダーコマンドを送信し（上記図５のＳ２に相当）、ＴＶ受像機４が３Ｄ映像に対応するか否かを判断する（図６のＳ１１に相当）。ＢＤプレーヤ２のメインマイコン２０は、ＴＶ受像機４から取得したＢＫＳＶの値と、上記の判断により得られたＴＶ受像機４の３Ｄ対応情報とを対応付けて３Ｄ対応機器情報２３ａに記憶する。ＴＶ受像機４が３Ｄ映像に対応している場合、３Ｄ対応機器情報２３ａには、図６のＳ３１と同様の処理により取得した、３Ｄ映像の形式及び解像度の情報が含まれる。
【００６６】
そして、再度、ＢＤプレーヤ２とＴＶ受像機４とをＨＤＭＩ接続したとき、ＢＤプレーヤ２のメインマイコン２０は、３Ｄ対応機器情報２３ａを参照して、ＴＶ受像機４から取得したＢＫＳＶの値が前回と同じ値であるか否かを判断する。この結果、ＢＫＳＶの値が前回と同じ場合、ＢＤプレーヤ２のメインマイコン２０は、前回と同じＴＶ受像機４が接続されていると判断し、３Ｄ対応機器情報２３ａを参照して、このＴＶ受像機４が３Ｄ映像に対応するか否かを判断する。ここで、メモリ２３に記憶されている３Ｄ対応機器情報２３ａにおいて、ＴＶ受像機４が３Ｄ映像対応である場合、ＢＤプレーヤ２のメインマイコン２０は、ＴＶ受像機４が３Ｄ映像に対応していると判断する。そして、ＢＤプレーヤ２のメインマイコン２０は、３Ｄ対応機器情報２３ａを参照して、対応する形式と解像度の３Ｄ映像をＴＶ受像機４に送信する。
【００６７】
上述したように、本実施形態の映像送信システム１、及びＢＤプレーヤ２によれば、３Ｄ対応機器情報２３ａを参照することにより、ＢＤプレーヤ２のメインマイコン２０が、ＴＶ受像機４に対して、３Ｄ映像に対応しているか否かを問い合わせるＣＥＣのベンダーコマンドを送信して、ＴＶ受像機４が３Ｄ映像に対応しているか否かを判断する処理（上記図５のＳ２及び図６のＳ１１に相当）を省略できる。従って、ＢＤプレーヤ２は、ＴＶ受像機４が３Ｄ映像に対応しているか否かを、迅速に判断することができるため、３Ｄ映像を送信するまでの時間を短縮でき、利便性が向上する。
【００６８】
なお、３Ｄ対応機器情報２３ａには、３Ｄ映像の対応情報に加えて、例えば、上記図７のＳ２１で表示されるＯＳＤのメッセージを表示するか否かの設定を記憶させるものであってもよい。その場合、このＯＳＤが非表示に設定されているとき、毎回、このＯＳＤが表示されないので、ユーザにとって同じメッセージを何度も見ることが無くなるため、煩わしさがなくなり、メッセージの確認済みである旨を指示するための操作の手間も低減できる。
【００６９】
なお、本発明は、上記各実施形態の構成に限られず、発明の趣旨を変更しない範囲で種々の変形が可能である。例えば、上記各実施形態において、請求項に示す映像再生装置がＢＤプレーヤである例を示したが、これに限られず、３Ｄ映像を送信可能なＢＤレコーダ等の映像再生装置であればよい。また、請求項に示す中継機器がＡＶアンプである例を示したが、これに限られず、リピータとして機能する中継機器であればよい。また、請求項に示す表示機器がＴＶ受像機である例を示したが、これに限られず、３Ｄ映像を表示可能な表示機器であればよい。
【００７０】
また、上記各実施形態において、ＢＤプレーヤは、ＴＶ受像機に３Ｄ映像を送信した後、２Ｄ映像を送信する場合、２Ｄ映像を送信すると共に、ＢＤプレーヤ２のメインマイコン２０は、ＣＥＣのベンダーコマンドを用いて、２Ｄ映像信号を送信中である旨をＴＶ受像機４に送信して、２Ｄ映像の形式に画面表示の設定を切り替えるように指示するものであってもよい。その場合、このベンダーコマンドを受信したＴＶ受像機は、２Ｄ映像を表示するように画面表示の設定を自動的に切り替えるため、ユーザは３Ｄ映像から２Ｄ映像を表示するように画面表示の設定を切り替える操作を行う必要がなくなるので、ユーザにとって操作の手間を低減できる。
【００７１】
また、上記各実施形態において、ＴＶ受像機がＢＤプレーヤから送信されたＣＥＣのベンダーコマンドに対応していない場合に、ＢＤプレーヤが、ＴＶ受像機に３Ｄ映像を送信した後に、２Ｄ映像を送信するとき、ＢＤプレーヤは、ＴＶ受像機が２Ｄ映像を表示するように設定の変更をユーザに促すメッセージのＯＳＤを表示させるものであってもよい。その場合、ユーザは、ＴＶ受像機の画面表示の設定を２Ｄ映像に切り替えることができるため、ＢＤプレーヤから送信される２Ｄ映像を確実にディスプレイに表示できるので、利便性が向上する。
【符号の説明】
【００７２】
１  映像送信システム
２  ＢＤプレーヤ（映像再生装置）
３  ＡＶアンプ（中継機器）
４  ＴＶ受信機（表示機器）
２０  （ＢＤプレーヤの）メインマイコン（判断手段、対応判断手段）
２４  ＨＤＭＩ送信部（判別情報取得手段、３Ｄ映像形式取得手段、３Ｄ映像送信手段、切替指示信号送信手段、解像度取得手段）
【図１】
2014042088.tif 000003
【図２】
2014042088.tif 000004
【図３】
2014042088.tif 000005
【図４】
2014042088.tif 000006
【図５】
2014042088.tif 000007
【図６】
2014042088.tif 000008
【図７】
2014042088.tif 000009
【図８】
2014042088.tif 000010